(57)【要約】【課題】  リフィルの多色化が進んでおり、使用しきっていない状態において、他の色のリフィルに交換してしまうと、使用しきっていないリフィルを交換したホルダに収納するか、或いは、捨ててしまうなど、何れにしても、無駄が発生してしまい、これまた、環境的な面から言っても好ましくない。【解決手段】  多芯筆記具に交換可能に収納されるリフィルのホルダであって、そのホルダに前記リフィルの突出状態を維持する突出手段を設けた多芯筆記具におけるリフィルのホルダ。【選択図】  図１４
2011235439.tif 000002
【特許請求の範囲】
【請求項１】
多芯筆記具に交換可能に収納されるリフィルのホルダであって、そのホルダに前記リフィルの突出状態を維持する突出手段を設けた多芯筆記具におけるリフィルのホルダ。
【請求項２】
前記ホルダを筒状部材から構成すると共に、その筒状部材を透明、或いは、半透明な材質から構成した請求項１記載の多芯筆記具におけるリフィルのホルダ。
【請求項３】
前記ホルダの端部にキャップ部材を着脱自在に設けると共に、そのキャップ部材を前記突出手段とした請求項１、或いは、請求項２に記載の多芯筆記具におけるリフィルのホルダ。
【請求項４】
前記リフィルをホルダに対して前後動可能に配置すると共に、前記リフィルの前進位置を固定する係止部を設け、その係止部を前記突出手段とした請求項１、或いは、請求項２に記載の多芯筆記具におけるリフィルのホルダ。
【発明の詳細な説明】
【技術分野】
【０００１】
本発明は、多芯筆記具に交換可能に収納されるリフィルのホルダに関する。
【背景技術】
【０００２】
一般的に、交換を意図したボールペンやシャープペンシルなどのリフィルは、ポリエチレン製のシースやアルミ箔製のシースなどに収納され、販売されている。これら、ポリエチレン製のシースやアルミ箔製のシースは、安価に製作できると共に、リフィルを収納する前の状態においては、重合配置することができるため、搬送性に優れている。
【先行技術文献】
【特許文献】
【０００３】
【特許文献１】特開２００７−４５１３９号公報（図３、図４）。
【発明の概要】
【発明が解決しようとする課題】
【０００４】
しかし、ポリエチレン製のシースやアルミ箔製のシースは、柔軟性があり、それ故に、筆記部となる重要なペン先を破損してしまうことがある。
また、近年においては、多様化の観点からかリフィルにおいても多色化が求められ、１０〜１５色にもおよぶリフィルのサービスが主流になりつつある。そして、さらには、前記ポリシースに変え、パイプ状のホルダにリフィルを収納したものも販売されるようになってきている。リフィルのペン先を保護すると共に、デザインを向上させることによって、消費者の購買意欲を向上させようとしているのである。
しかし、そのパイプ状のホルダは、リフィルの収納を目的として作られているため、リフィルを抜き取った後には、捨てられてしまうものとなっており、環境的な面から些か懸念が残されていた。
また、前述の通り、リフィルの多色化が進んでおり、使用しきっていない状態において、他の色のリフィルに交換してしまうと、使用しきっていないリフィルを交換したホルダに収納するか、或いは、捨ててしまうなど、何れにしても、無駄が発生してしまい、これまた、環境的な面から言っても好ましくない。
【課題を解決するための手段】
【０００５】
そこで、本発明は、多芯筆記具に交換可能に収納されるリフィルのホルダであって、そのホルダに前記リフィルの突出状態を維持する突出手段を設けた多芯筆記具におけるリフィルのホルダを要旨とする。
【発明の効果】
【０００６】
本発明は、多芯筆記具に交換可能に収納されるリフィルのホルダであって、そのホルダに前記リフィルの突出状態を維持する突出手段を設けたので、ホルダを筆記具として有効に活用することができる。
【図面の簡単な説明】
【０００７】
【図１】多芯筆記具の１例を示す正面図。
【図２】図１の側面図。
【図３】図１の縦断面図。
【図４】図２の縦断面図。
【図５】図１の上面図。
【図６】図１のＸ−Ｘ線断面図。
【図７】図１のＹ−Ｙ線断面図。
【図８】図１のＺ−Ｚ線断面図。
【図９】スライダーとボールペンリフィルの組み立て斜視図。
【図１０】図９の要部分解図。
【図１１】図９のＡ−Ａ線断面図。
【図１２】接続部材の斜視図。
【図１３】（ａ）スライダーの変形例を示す正面図。            （ｂ）スライダーの変形例を示す側面。
【図１４】本発明のリフィルホルダの第１例を示す縦断面図。
【図１５】図１４の外観図。
【図１６】第１例の動作を示す縦断面図。
【図１７】図１６の外観図。
【図１８】スライダーの変形例を示す縦断面図。
【図１９】図１８の動作を示す縦断面図。
【図２０】本発明のリフィルホルダの第２例を示す縦断面図。
【図２１】図２０の外観図。
【図２２】第２例の動作を示す縦断面図。
【図２３】図２２の外観図。
【図２４】第２例におけるシャープペンシルユニットを収納した縦断面図。
【図２５】図２４の外観図。
【図２６】本発明のリフィルホルダの第３例を示す縦断面図。
【図２７】図２６の外観図。
【図２８】第３例の動作を示す縦断面図。
【図２９】図２８の外観図。
【図３０】本発明のリフィルホルダの第４例を示す縦断面図。
【図３１】図３０の外観図。
【図３２】第４例の動作を示す縦断面図。
【図３３】図３２の外観図。
【図３４】第４例の動作過程を示す外観図。
【発明を実施するための形態】
【０００８】
最初に、一般的な多芯筆記具について説明する。黒色と赤色の２色からなるボールペンリフィルが摺動自在に配置されている多芯筆記具である。ボールペンばかりではなく、シャープペンシルユニットを適宜組み合わせても良い。参照符号１は、軸本体であり、その軸本体１は、前軸２と後軸３とより構成されている。また、本例において、前軸２は、先部材４と中軸５の螺合構造により構成されているが、一体的に形成されていても良い。しかし、後述する筆記体の交換や成形の容易性を考慮すると２部材とし、着脱自在に固定した方が良い。また、前記先部材４の内径部には、先端側へ向かって徐々に径が小さくなる円錐部４ａが形成されている。そして、その先部材４の先端には、筆記体が出没する突出孔４ｂが形成されている。
【０００９】
前記後軸３には、その長手方向に２個のスリット６が形成されている。本例においては、２個のスリット６が形成されているが、筆記体であるボールペンリフィルの数が２本であるためであり、この筆記体の本数によってスリットの形成する数も変わるものである。また、スリット６は、後軸３の一方の端部まで形成されていると共に、スリット６の両側には、摺動溝７が形成されている。しかし、この摺動溝７は、スリット６の両側の全長に渡って形成されているのではなく、中間部までしか形成されていない。
前記後軸３の前方には断面の形状が外側に円弧部を有する半月形をした脚部８が対向した位置に形成されている。この脚部８は、スリット６が形成されることにより形成される。よって、筆記体の数によって脚部８の数は変わる。その脚部８の外接円径は、後軸３の最大外径よりも小さく形成されている。
符号９は、後軸３に一体的に形成されたクリップ部であるが、別部材で構成し後軸３に固定などしても良い。符号１０は、前記クリップ部９の前方内面に形成された玉部であって、その玉部１０は前記中軸５の表面に当接している。
【００１０】
前記後軸３のスリット６には、透明、或いは、着色された半透明な材質からなるスライダー１１が摺動自在に配置されている。このスライダー１１の長手方向の両側には、摺動突起１２が形成されており、前記スリット６に形成された摺動溝７に摺動可能に係合している。このスライダー１１の背面には、間隔をおいて２つの解除突起１３、１４が形成されており、また、スライダー１１の前方の内側には、長手方向に孔１１ａが形成されている。その孔１１ａの正面方向から見て内面には、平面部１１ｂが形成されており、その平面部１１ｂに対応するスライダー１１の外面には円弧状の曲面部１１ｃが形成されている。これら内面に形成された平面部１１ｂと外面に形成された曲面部１１ｃとによって光の屈折が発生しレンズ効果が得られるようになっている。
そして、スライダー１１の孔１１ａには、後述する筆記体に収納されるインキの色とほぼ同色な色を有した接続部材１５の一端部（後方部１５ａ）が着脱自在に挿着されており、その継ぎ手部材１５の他端部（前方部１５ｂ）には、ポリプロピレンやナイロンなどの樹脂材質からなる円筒状のボールペンリフィル１６が接続されている。
尚、そのボールペンリフィル１６は、インキを収容するポリプロピレンなどの樹脂材質で押し出し成型によって形成されたインキ収容管１６ａと、そのインキ収容管１６ａの前方に圧入されたボールペンチップ１６ｂなどから構成されている。
ここで、前記スライダー１１は、透明、或いは、着色された半透明な材質で形成されているため、その内部に位置する前記接続部材１５の色を容易に識別することができる。これに加え、スライダー１１には平面部１１ｂと曲面部１１ｃが形成されているため、それによって得られるレンズ効果によって、前記接続部材１５の色をさらに容易に識別することができるようになる。
【００１１】
前記接続部材１５の中間部には、大径部１５ｃが形成されており、後方部１５ａの孔１１ａに対する過度な挿入と、前方部１５ａの筆記体１６に対する過度な挿入が防止されている。また、接続部材１５の後方部１５ａには、スライダー１１の孔１１ａに対する挿着・嵌合を良好なものとなすために円周状の嵌合突起１５ｄが形成される一方、前方部１５ｂには筆記体１６に空気が侵入するための平面部１５ｅが形成されている。その平面部１５ｅは、９０度の角度をもって４方に形成されている。即ち、接続部材１５の前方部１５ｂの横断面形状は、正方形状をなしている。また、４つの平面部１５ｅには、筆記体１６との良好な係合・嵌合力を得るために突起１５ｆ、１５ｇが部分的に形成されているが、突起同士が重ならないようになっている。即ち、４つの平面部１５ｅに形成された各々の突起１５ｆは、長手方向、並びに、周方向に対して異なった位置に形成されている、具体的に説明すると、前方の対向した位置に形成された突起１５ｆと離隔して、後方にはその突起１５ｆと９０度の角度をもって突起１５ｇが対向して形成されている。前記インキの消費に伴うボールペンリフィル１６内部への空気の侵入を確実なものとしていると共に、樹脂材質からなる筆記体１６の塑性変形による接続部材１５からの脱落を防止している。つまり、前方に形成された突起１５ｆによってボールペンリフィル１６が楕円状に膨出（膨出部１６ｃ）すると共に、後方に形成された突起１５ｇによって、前記膨出部とは９０度の角度をもって該部分も膨出部１６ｄが形成される。即ち、互いが９０度の方向で膨出する反面、その膨出した方向と９０度回転した方向は縮径させられるため、筆記体１６の内面が突起１５ｆ、１５ｇに食い込むようになり各々の係合部がより強固になるのである。
また、前記突起１５ｆや１５ｇは、その断面形状が矢型状をなしているが、前方に位置する突起１５ｆのボールペンリフィル１６への挿着側は、鈍角に形成されており、一方、離脱側は鋭角に形成されている。ちなみに、本例においては、挿入側を約１５０度に形成し、離脱側を７０度に形成している。
尚、前記スライダー１１の前端部には、後述する弾撥部材１７の外径部を保持する延出部１１ｄが形成されている。延出部１１ｄ間の長さは、弾撥部材１７外径よりも若干短く形成されており、これによって弾撥部材１７は延出部１１ｄに圧入された状態となっている。即ち、ボールペンリフィル１６を交換する際にも弾撥部材１７がスライダー１１の前端部から外れないようになっている。また、前記スライダー１１の接続部材１５（後方部１５ａ）に対する挿着力（嵌合力）は、ボールペンリフィル１６の接続部材１５（前方部１５ｂ）に対する挿着力（嵌合力）よりも弱く設定されている。即ち、筆記体１６をスライダー１１に対して離脱させようとすると、ボールペンリフィル１６と接続部材１５が連結された状態でスライダー１１から離脱する。
参照符号１７は、ボールペンリフィル１６並びにボールペンリフィル１６に接続するスライダー１１を後方に付勢するコイルスプリングなどの弾撥部材である。
【００１２】
前記前軸２の１部材である中軸５の中間部には、規制部１８が形成されており、その規制部１８には、筆記体１６が遊挿する２つの貫通孔１９が形成されており、前記規制部１８に弾撥部材１７の一端を係止させることにより、ボールペンリフィル１６を後方に付勢している。また、中軸５の内側で、規制部１８の後方には、長手方向に２つの溝部２０が形成されており、この溝部２０に前記後軸３の脚部８が摺接され、組み立て時に脚部８が案内されるようになっている。また、その溝部２０は、脚部８の断面形状とほぼ同形をなしている。即ち、外側に円弧部を有する半月形となっている。
【００１３】
次に、前記スライダー、並びに、接続部材の変形例を図１３（ａ）〜（ｂ）に示し説明する。スライダーに接続部材を一体成形した例である。スライダーとしての機能を有する接続部材２１の側面には、後方側面には摺動突起１２が形成されており、また、背面には解除突起１３、１４が形成されている。一方、接続部材２１の前方部２１ｂには、筆記体１６に空気が侵入するための平面部２１ｅが形成されている。その平面部２１ｅは、９０度の角度をもって4方に形成されている。即ち、接続部材２１の前方部２１ｂの横断面形状は、正方形状をなしている。また、４つの平面部２１ｅには、筆記体１６との良好な嵌合力を得るために突起２１ｆ、２１ｇが部分的に形成されているが、突起同士が重ならないようになっている。即ち、４つの平面部２１ｅに形成された各々の突起２１ｆは、長手方向、並びに、周方向に対して異なった位置に形成されている、具体的に説明すると、前方の対向した位置に形成された突起２１ｆと離隔して、後方にはその突起２１ｆと９０度の角度をもって突起２１ｇが対向して形成されている。
本例のように、接続部材にスライダー機能を持たせることによって、部品点数を削減でき、また、組み立てによる工数なども削減することができる。
【００１４】
ここで、本発明におけるリフィル（ボールペンリフィル、或いは、シャープペンシルユニット）１６は、透明、或いは、着色半透明な樹脂から形成された円筒状のリフィルホルダ２２に収納された状態で、且つ、前記多芯筆記具の近傍に陳列された状態で販売されている。
そのリフィルホルダ２２について説明する（第１例；図１４〜図１７）。半透明なポリプロピレン樹脂からなる筒状のリフィルホルダ２２には、ボールペンリフィル１６が収納されている。そのリフィルホルダ２２の一端部は蓋体２３が取り付けられているが、その蓋体２３とリフィルホルダ２２とを一体成形するなどしても良い。その蓋体２３には縮径部２３ａが形成されており、その縮径部２３ａには前記ボールペンリフィル１６の後端部に接続された接続部材１５の後方部１５ａが着脱自在に突き刺さっている。一方、リフィルホルダ２２の他端部は、開口されているが、その開口部には、先部材２４が着脱自在に嵌合している。この先部材２４はポリエチレンテレフタレートなどの樹脂材質から形成されているが、アルミニュームや真鍮、ステンレスなどと言った金属材質から形成しても良い。また、先部材２４の中間部には、リフィルホルダ２２の外径と同様な外径を有する鍔部２４ａが形成されており、その鍔部２４ａを境界として前方部２４ｂと後方部２４ｃに区画されている。そして、その前方部２４ｂは、後方部２４ｃに比べ長く形成されており、その後方部２４ｃをリフィルホルダ２２の開口部に装着した場合には、ボールペンリフィル１６のボールペンチップ１６ａを保護するように覆っている。この状態が、陳列されている状態における形態であり、また、不使用時における状態でもある。ここで、先部材２４の前方部２４ｂをリフィルホルダ２２の開口部に装着すると、ボールペンチップ１６ａが露出し、筆記することが可能となる。即ち、この状態において、リフィルホルダ２２は、筆記具として使用が可能になるのである。
尚、前記前方部２４ｂ、並びに、後方部２４ｃの先端部外周面には、視認性、並びに、挿着性を考慮して、面取り加工（面取り部２４ｃ）が施されている。
【００１５】
また、前記多芯筆記具に収納されているボールペンリフィルと色の異なるボールペンリフィルに交換したい場合には、最初に多芯筆記具からその交換したいボールペンリフィルを抜き取る。次いで、リフィルホルダ２２から先部材２４を離脱させ、収納されているボールペンリフィルを抜き取る。そして、そのリフィルホルダ２２から抜き取ったボールペンリフィルを多芯筆記部のスライダー１１に嵌め込む。本実施例においては、色の表示がなされた接続部材１５と共に抜き取られ、多芯筆記具のスライダー１１に嵌め込まれる。最後に、多芯筆記具から抜き取ったボールペンリフィルをリフィルホルダ２２に嵌め込み、再び先部材２４を装着する。これによって、多芯筆記具から抜き取ったボールペンリフィルも使用することができるようになる。
【００１６】
尚、本例の接続部材１５に変え、図１３に示すようなスライダーとしての機能を有する接続部材２１と接続したボールペンリフィル１６をリフィルホルダ２２に収納しても良い（図１８、図１９参照）。本例においても、先部材２４の向きを変えることによって、ボールペンチップ１６ａを収納状態（図１８）にしたり、露出させたり、即ち、筆記具として使用（図１９）することができる。
【００１７】
リフィルホルダの第２例を図２０〜図２３に示し説明する。リフィルホルダ２５は、筒状体をなしており、後端開口部には、尾栓２６が前後動、並びに、回転可能に配置されている。一方、リフィルホルダ２５の後方部には、Ｌ字型の溝部２７が形成されており、そのＬ字型の溝部２７に前記尾栓２６の側面に形成された突起２６ａが係合している。前記Ｌ字型の溝部２７は、軸線方向に形成された縦スリット２７ａとその縦スリットに連接され、円周方向に形成された横スリット２７ｂとから構成されている。即ち、リフィルホルダ２５にボールペンリフィル１６が収納されている状態においては、尾栓２６の突起２６ａが縦スリット２７ａの後端部に位置しており、ボールペンリフィル１６のボールペンチップ１６ａが突出状態においては前記突起２６ａが横スリット２７ｂに位置し係合している。この係合動作によって、ボールペンリフィル１６の後退動作が阻止されている。尚、リフィルホルダ２５に収納されているボールペンリフィル１６を尾栓２６から引き抜く場合には、ボールペンチップ１６ａが突出した状態において引き抜けば良い。尚、リフィルホルダ２５の先端部には細径部２５ａが形成されており、ボールペンチップ１６ａを露出させた際の、視認性を良好なものとしている。
また、本例においては、ボールペンリフィル１６の後端部には、連結部材が装着されておらず、直接、スライダーに挿着するボールペンリフィルとなっている。即ち、前記スライダーの変形例である図１３に示すスライダーに装着されるボールペンリフィルとなっている。
【００１８】
図２４、図２５に示す例は、前記第２例のリフィルホルダ２５にシャープペンシルユニット２８を収納した例である。本例におけるリフィルホルダ２５のＬ字型の溝２９は、前記第２例と同様に縦スリット２９ａと横スリット２９ｂとから構成されているが、その横スリット２９ｂは下方に向けて延設形成されている。即ち、この縦方向に延設された横スリットによって、シャープペンシルユニット２８を前進せしめ、芯の繰り出しが行えるようになっているのである。尚、リフィルホルダ２５の先端部には、細径部２５ａが形成されているが、その内径部も細径部となっている。即ち、その細径部によって形成されたリブ状の段部２５ｂに、前記シャープペンシルユニット２８の先具３０の中間部を当接させることによって、そのシャープペンシルユニット２８のリフィルホルダ２５からの脱落を防止すると共に、芯の繰り出しを可能なものとしている。
このシャープペンシルユニット２８をリフィルホルダ２５から引き抜き、多芯筆記具に装着する場合には、尾栓２６を後方に向け引っ張り上げると共に、突起２６ａを縦スリット２９ａの連結部２９ｃから乗り越えさせる。リフィルホルダ２５は、比較的やわらかいポリプロピレンから形成されているため、前記の乗り越え動作は容易に行える。
【００１９】
ここで、前記シャープペンシルユニット２８について、説明する。前記尾栓２６に差し込まれ、複数の芯を収納する芯タンク３０の前方には、中継ぎ部材３１を介して芯の把持・開放を行うチャック体３２が固定されている。そのチャック体３２の前方には、チャック体３２の開閉を行うチャックリング３３が囲繞している。また、前記チャック体３２を囲むようにチャック筒３４が囲繞しており、そのチャック筒３４の前方には、先具３５が着脱自在に螺合している。その先具３５の内側には、芯の後退を阻止する芯戻り止め部材３６が圧入されている。符号３７は、チャック体３２や芯タンク３０を後方に向けて付勢するコイルスプリングなどからなる弾撥部材である。
【００２０】
第３例を図２６〜図２９に示し説明する。リフィルホルダ３８の後端開口部には尾栓３９が着脱自在に嵌合しており、その尾栓３９には軸線方向の前方に向けて、縦スリット３９ａが形成されている。また、リフィルホルダ３８の後端開口部の近傍にも、縦スリット３８ａが形成されている。一方、リフィルホルダ３８の先端部には細径部３８ｂが形成されており、その細径部３８ｂの内側にはリブ状の縮径部３８ｃが形成されている。
そして、リフィルホルダ３８には、スライダーを兼ねた接続部材２１を有するボールペンリフィル１６が収納されている。この収納状態においては、接続部材２１が尾栓３９の縦スリット３９ａに位置している。
ここで、尾栓３９をリフィルホルダ３８から外し、接続部材２１をリフィルホルダ３８の縦スリット３８ａに位置させれば、ボールペンチップ１６ａがリフィルホルダ３８の先端開口部から露出し、筆記具として使用が可能となる。この時、尾栓３９の縦スリット３９ａとリフィルホルダ３８の縦スリット３８ａの位置をオフセットさせる。このオフセットにより、連結部材２１の後端部が尾栓３９の前端部に当接し、ボールペンリフィル１６の後退が阻止されると共に、ボールペンチップ１６ａの露出状態が維持される。
また、このボールペンリフィル１６を多芯筆記具に使用したい場合には、前記尾栓３９をリフィルホルダ３８から外すと共に、ボールペンリフィル１６をそのリフィルホルダ３８から引き抜く。
【００２１】
第４例を図３０〜図３３に示し説明する。リフィルホルダ４０の後端開口部には尾栓４１が着脱自在に嵌合しており、その尾栓４１には軸線方向の前方に向けて、縦スリット４１ａが形成されている。また、リフィルホルダ４０の後端開口部から軸線方向の下方に向けて円弧状のカム溝４０ａが形成されている。一方、リフィルホルダ４０の先端部には細径部４０ｂが形成されており、その細径部４０ｂの内側にはリブ状の縮径部４０ｃが形成されている。
そして、リフィルホルダ４０には、スライダーを兼ねた接続部材２１を有するシャープペンシルユニット１６が収納されている。この収納状態においては、接続部材２１が尾栓４０の縦スリット４０ａに位置している。
ここで、前記接続部材２１をシャープペンシルユニット２８と共に回転させると、前記カム溝４０ａに沿って、接続部材２１が押し下げられると共に、シャープペンシルユニット２８も押し下げられ、やがて、先具３５の先端部がリフィルホルダ４０の先端開口部から露出する。
また、このシャープペンシルユニット２８を多芯筆記具に使用したい場合には、前記尾栓４１をリフィルホルダ４０から外すと共に、シャープペンシルユニット２８をそのリフィルホルダ４０から引き抜く。
【００２２】
以上種々の例を挙げ、説明したように、本発明におけるリフィルホルダは、多芯筆記具の交換用のリフィルの収納体として使用できることは勿論、リフィルホルダを筆記体の軸体として使用することができ、そのリフィルホルダは勿論、交換用のリフィルも有効に活用することができる。
【符号の説明】
【００２３】
１      軸本体
２      前軸
３      後軸
４      先部材
５      中軸
６      スリット
７      摺動溝
８      脚部
９      クリップ部
１０    玉部
１１    スライダー
１２    摺動突起
１３    解除突起
１４    解除突起
１５    接続部材
１６    ボールペンリフィル
１７    弾撥部材
１８    規制部
１９    貫通孔
２０    溝部
２１    接続部材
２２    リフィルホルダ
２３    蓋体
２４    先部材
２５    リフィルホルダ
２６    尾栓
２７    Ｌ字型の溝部
２８    シャープペンシルユニット
２９    Ｌ字型の溝部
３０    芯タンク
３１    中継ぎ部材
３２    チャック体
３３    チャックリング
３４    チャック筒
３５    先具
３６    芯戻り止め部材
３７    弾撥部材
３８    リフィルホルダ
３９    尾栓
４０    リフィルホルダ
４１    尾栓
【図１】
2011235439.tif 000003
【図２】
2011235439.tif 000004
【図３】
2011235439.tif 000005
【図４】
2011235439.tif 000006
【図５】
2011235439.tif 000007
【図６】
2011235439.tif 000008
【図７】
2011235439.tif 000009
【図８】
2011235439.tif 000010
【図９】
2011235439.tif 000011
【図１０】
2011235439.tif 000012
【図１１】
2011235439.tif 000013
【図１２】
2011235439.tif 000014
【図１３】
2011235439.tif 000015
【図１４】
2011235439.tif 000016
【図１５】
2011235439.tif 000017
【図１６】
2011235439.tif 000018
【図１７】
2011235439.tif 000019
【図１８】
2011235439.tif 000020
【図１９】
2011235439.tif 000021
【図２０】
2011235439.tif 000022
【図２１】
2011235439.tif 000023
【図２２】
2011235439.tif 000024
【図２３】
2011235439.tif 000025
【図２４】
2011235439.tif 000026
【図２５】
2011235439.tif 000027
【図２６】
2011235439.tif 000028
【図２７】
2011235439.tif 000029
【図２８】
2011235439.tif 000030
【図２９】
2011235439.tif 000031
【図３０】
2011235439.tif 000032
【図３１】
2011235439.tif 000033
【図３２】
2011235439.tif 000034
【図３３】
2011235439.tif 000035
【図３４】
2011235439.tif 000036